【手続補正書】
【提出日】平成20年5月15日(2008.5.15)
【手続補正１】
【補正対象書類名】特許請求の範囲
【補正対象項目名】全文
【補正方法】変更
【補正の内容】
【特許請求の範囲】
【請求項１】
インターワーキングワイヤレスローカルエリアネットワーク・ユーザ機器（ＵＥ：User Equipment）によって、ショートメッセージサービス（ＳＭＳ：Short Message Service）メッセージを受信する方法であって、
前記ＵＥをインターネットプロトコルショートメッセージゲートウェイ（ＩＰ−ＳＭ−ＧＷ：Internet Protocol Short Message GateWay）に登録すること、
前記ＩＰ−ＳＭ−ＧＷに、前記ＵＥの機能の範囲を含むケーパビリティレポートを送信すること、および
前記ＵＥが前記ＳＭＳメッセージを受信するケーパビリティを有していた場合、前記ＩＰ−ＳＭ−ＧＷを介して、前記ＳＭＳメッセージを受信すること
を備えることを特徴とする方法。
【請求項２】
前記登録することは、
前記ＵＥの電話番号と、前記ＵＥのＩＰアドレスとの関連付けを登録すること、および
前記ＵＥにおいて、ＳＭＳサービスのサポート性を認証すること
を含むことを特徴とする請求項１に記載の方法。
【請求項３】
前記ケーパビリティレポートは、利用可能なメモリサイズと、利用可能なターミナルのタイプと、利用可能なスクリーンサイズと、利用可能なセッション開始プロトコルのサポート性とのうちの少なくとも１つを含むことを特徴とする請求項１に記載の方法。
【請求項４】
前記受信することは、
前記ＩＰ−ＳＭ−ＧＷからＳＭＳ通知リクエストを受信すること、
前記ＩＰ−ＳＭ−ＧＷに通知アクノレッジメントを送信すること、および
前記ＩＰ−ＳＭ−ＧＷから前記ＳＭＳメッセージを受信すること
を含むことを特徴とする請求項１に記載の方法。
【請求項５】
前記ＵＥと、パケットデータゲートウェイとの間にＩＰトンネルを確立すること
をさらに備え、
前記ＵＥと、前記ＩＰ−ＳＭ−ＧＷとの間の通信は、前記ＩＰトンネルを介してなされることを特徴とする請求項１に記載の方法。
【請求項６】
インターワーキングワイヤレスローカルエリアネットワーク・ユーザ機器（ＵＥ：User Equipment）からショートメッセージサービス（ＳＭＳ：Short Message Service）メッセージを送信する方法であって、
前記ＵＥをインターネットプロトコルショートメッセージゲートウェイ（ＩＰ−ＳＭ−ＧＷ：Internet Protocol Short Message GateWay）に登録すること、
前記ＩＰ−ＳＭ−ＧＷに、前記ＵＥの機能の範囲を含むケーパビリティレポートを送信すること、および
前記ＩＰ−ＳＭ−ＧＷを介して、ショートメッセージサービスセンタ（ＳＭＳＣ：Short Message Service Center）に前記ＳＭＳメッセージを送信すること
を備えることを特徴とする方法。
【請求項７】
前記登録することは、
前記ＵＥの電話番号と、前記ＵＥのＩＰアドレスとの関連付けを登録すること、および
前記ＵＥにおいて、ＳＭＳサービスのサポート性を認証すること
を含むことを特徴とする請求項６に記載の方法。
【請求項８】
前記ケーパビリティレポートは、利用可能なメモリサイズと、利用可能なターミナルのタイプと、利用可能なスクリーンサイズと、利用可能なセッション開始プロトコルのサポート性とのうちの少なくとも１つを含むことを特徴とする請求項６に記載の方法。
【請求項９】
前記ＵＥと、パケットデータゲートウェイとの間にＩＰトンネルを確立すること
をさらに備え、
前記ＵＥと、前記ＩＰ−ＳＭ−ＧＷとの間の通信は、前記ＩＰトンネルを介してなされることを特徴とする請求項６に記載の方法。
【請求項１０】
前記ＳＭＳＣから配信レポートを受信すること
をさらに備えることを特徴とする請求項６に記載の方法。
【請求項１１】
前記配信レポートは、前記ＳＭＳメッセージが前記ＳＭＳＣに配信されたか否かを示すことを特徴とする請求項１０に記載の方法。
【請求項１２】
前記配信レポートにより、前記ＳＭＳメッセージが前記ＳＭＳＣに配信されなかったと示された場合、前記配信レポートは、配信の失敗の理由も示すことを特徴とする請求項１１に記載の方法。
【請求項１３】
ショートメッセージサービス（ＳＭＳ：Short Message Service）メッセージを受信するように構成されたインターワーキングワイヤレスローカルエリアネットワーク・ユーザ機器（ＵＥ：User Equipment）であって、
前記ＵＥをインターネットプロトコルショートメッセージゲートウェイ（ＩＰ−ＳＭ−ＧＷ：Internet Protocol Short Message GateWay）に登録するように構成された登録デバイスと、
前記ＩＰ−ＳＭ−ＧＷに、前記ＵＥの機能の範囲を含むケーパビリティレポートを送信するように構成された送信機と、
前記ＩＰ−ＳＭ−ＧＷを介して、前記ＳＭＳメッセージを受信するように構成された受信機と
を備えたことを特徴とするＵＥ。
【請求項１４】
前記ケーパビリティレポートは、利用可能なメモリサイズと、利用可能なターミナルのタイプと、利用可能なスクリーンサイズと、利用可能なセッション開始プロトコルのサポート性とのうちの少なくとも１つを含むことを特徴とする請求項１３に記載のＵＥ。
【請求項１５】
ショートメッセージサービス（ＳＭＳ：Short Message Service）メッセージを送信するように構成されたインターワーキングワイヤレスローカルエリアネットワーク・ユーザ機器（ＵＥ：User Equipment）であって、
前記ＵＥをインターネットプロトコルショートメッセージゲートウェイ（ＩＰ−ＳＭ−ＧＷ：Internet Protocol Short Message GateWay）に登録するように構成された登録デバイスと、
前記ＩＰ−ＳＭ−ＧＷに、前記ＵＥの機能の範囲を含むケーパビリティレポートを送信し、かつ前記ＩＰ−ＳＭ−ＧＷを介して、ショートメッセージサービスセンタ（ＳＭＳＣ：Short Message Service Center）に前記ＳＭＳメッセージを送信するように構成された送信機と
を備えたことを特徴とするＵＥ。
【請求項１６】
前記ケーパビリティレポートは、利用可能なメモリサイズと、利用可能なターミナルのタイプと、利用可能なスクリーンサイズと、利用可能なセッション開始プロトコルのサポート性とのうちの少なくとも１つを含むことを特徴とする請求項１５に記載のＵＥ。
【請求項１７】
ショートメッセージサービス（ＳＭＳ：Short Message Service）メッセージをインターワーキングワイヤレスローカルエリアネットワーク・ユーザ機器（ＵＥ：User Equipment）に配信する方法であって、
前記ＵＥをインターネットプロトコルショートメッセージゲートウェイ（ＩＰ−ＳＭ−ＧＷ：Internet Protocol Short Message GateWay）に登録すること、
前記ＵＥから、該ＵＥの機能の範囲を含むケーパビリティレポートを受信すること、
前記ＵＥのケーパビリティレポートを評価して、前記ＵＥが前記ＳＭＳメッセージを受信できるか否かを判定すること、および
前記ＵＥが前記ＳＭＳメッセージを受信するケーパビリティを有していた場合、前記ＵＥに前記ＳＭＳメッセージを配信すること
を備えることを特徴とする方法。
【請求項１８】
前記登録することは、
前記ＵＥの電話番号と、前記ＵＥのＩＰアドレスとの関連付けを登録すること、および
前記ＵＥにおいて、ＳＭＳサービスのサポート性を認証すること
を含むことを特徴とする請求項１７に記載の方法。
【請求項１９】
前記ケーパビリティレポートは、利用可能なメモリサイズと、利用可能なターミナルのタイプと、利用可能なスクリーンサイズと、利用可能なセッション開始プロトコルのサポート性とのうちの少なくとも１つを含むことを特徴とする請求項１７に記載の方法。
【請求項２０】
前記ＳＭＳメッセージは、前記ＩＰ−ＳＭ−ＧＷにおいて、ショートメッセージサービスセンタ（ＳＭＳＣ：Short Message Service Center）から受信されることを特徴とする請求項１７に記載の方法。
【請求項２１】
前記配信することは、
前記ＵＥにＳＭＳ通知リクエストを送信すること、
前記ＵＥから通知アクノレッジメントを受信すること、および
前記ＵＥに前記ＳＭＳメッセージを配信すること
を含むことを特徴とする請求項１７に記載の方法。
【請求項２２】
ＳＭＳＣに配信レポートを送信すること
をさらに備えることを特徴とする請求項１７に記載の方法。
【請求項２３】
前記配信レポートは、前記ＳＭＳメッセージが前記ＵＥに配信されたか否かを示すことを特徴とする請求項２２に記載の方法。
【請求項２４】
前記配信レポートにより、前記ＳＭＳメッセージが前記ＵＥに配信されなかったと示された場合、前記配信レポートは、配信の失敗の理由も示すことを特徴とする請求項２３に記載の方法。